(57)【要約】【課題】裏側から到達する光によって被表示物が光って見えるタイプの遊技機用の化粧シート及び遊技盤において、遊技者に対してより大きな興趣を与えることができるようにする。【解決手段】裏側からおもて側へ光が透過することを阻止せず、おもて側から裏側へ光が透過することを制限する一方向光透過制限膜３０と、一方向光透過制限膜３０の裏側に配設され、被表示物４１ａ〜４１ｃが表示され透光性を有する表示用印刷塗膜４０と、表示用印刷塗膜４０の裏側に配設され、被表示物４１ａ〜４１ｃに対応しない部分に黒色の塗料が付着されて形成された黒色塗膜５０とを有する。【選択図】図２
2007175291.tif 000002
【特許請求の範囲】
【請求項１】
遊技機に使用される化粧シートであって、
裏側からおもて側へ光が透過することを阻止せず、おもて側から裏側へ光が透過することを制限する一方向光透過制限層と、
前記一方向光透過制限層の裏側に配設され、透光性を有する被表示物と
を有する遊技機用の化粧シート。
【請求項２】
請求項１に記載の遊技機用の化粧シートであって、
前記一方向光透過制限層の裏側であって前記被表示物に対応しない部分に配設され、少なくとも裏側からおもて側へ光が透過することを制限する光透過制限材と
を有する遊技機用の化粧シート。
【請求項３】
遊技機の遊技盤であって、
透光性を有する遊技盤本体と、
前記遊技盤本体のおもて側に配設された請求項１又は請求項２に記載の化粧シートと
を有する、遊技機の遊技盤。
【発明の詳細な説明】
【技術分野】
【０００１】
本発明は、遊技機に使用される化粧用シート及び遊技盤に関するものである。
【背景技術】
【０００２】
弾球遊技機（パチンコ機等）や回胴遊技機（スロットマシン）等の遊技機においては、その遊技機本来の機能以外についても遊技者に興趣を与えることが求められている。
その観点から、特許文献１には、次のような弾球遊技機が開示されている。
その弾球遊技機では、透明基板のおもて面に絵柄フィルムが貼着されて遊技盤が形成され、その遊技盤の裏側には反射フィルムが貼着され、その遊技盤には、その側部から光を照射する光源が設けられている。
【０００３】
そして、光源から発せられた光は、反射フィルムにおいて反射し、絵柄フィルムの裏側からその絵柄フィルムに到達し、その絵柄フィルムを透過し、遊技者に到達する。
こうして、遊技者には、その絵柄フィルムに描かれた絵柄（被表示物）が光るように視認され、それによって、遊技者に対して興趣が与えられる。
【０００４】
しかしながら、その遊技機では、光源が発光状態（オン状態）の際に絵柄が光るように見えるのであるが（このことは上述）、光源が非発光状態（オフ状態）の際にも絵柄フィルムに描かれた絵柄が遊技者によって視認される。
すなわち、遊技ホール内の照明等に基づく光が絵柄フィルムのおもて側からその絵柄フィルムに到達し、その絵柄フィルムにおいて反射し、その反射光が遊技者に到達するため、その絵柄が遊技者によって視認されるのである。
こうして、その絵柄は、光源が発光状態の場合と比較すれば目立たないが、やはり視認されるのである。
【０００５】
このため、光源が非発光状態の際において、光源が発光状態となった際にはどのような絵柄が光って見えるかが予想されるために、その分、遊技者に与えることができる興趣が不十分であった。
【特許文献１】特開２００４−１６００２９公報
【発明の開示】
【発明が解決しようとする課題】
【０００６】
本発明は、裏側から到達する光によって被表示物が光って見えるタイプのものであって、遊技者に対してより大きな興趣を与えることができる遊技機用の化粧シート及び遊技盤を提供することを目的とする。
【課題を解決するための手段】
【０００７】
上記の目的を達成するために、請求項１に係る発明は、遊技機に使用される化粧シートであって、裏側からおもて側へ光が透過することを阻止せず、おもて側から裏側へ光が透過することを制限する一方向光透過制限層と、前記一方向光透過制限層の裏側に配設され、透光性を有する被表示物とを有する遊技機用の化粧シートである。
【０００８】
上記発明の遊技機用の化粧シートにおいては、その裏側に光源が配設されることによって、次の作用効果が得られる。
すなわち、その光源が発光状態の際には、その光源から発せられる光が被表示物を透過し、一方向光透過制限層を透過し、当該化粧シートの手前側（おもて側）に位置する者（遊技者等）に到達する。
こうして、遊技者等には、被表示物が光るように視認される（すなわち、光って見える）。
一方、前述の光源が非発光状態の際には、当該化粧シートの手前側（おもて側）から当該化粧シート（そのおもて面）に到達する光が一方向光透過制限層を透過することが制限される。このため、その光が被表示物に到達し、その被表示物において反射し、その反射光が一方向光透過制限層を透過して当該化粧シートの手前側に位置する者（遊技者等）に到達する、ということが制限される。こうして、遊技者等によって被表示物が視認されることが制限される。
【０００９】
このように、この遊技機用の化粧シートでは、化粧シートの裏側に位置する光源が発光状態の際には、遊技者等には被表示物が光るように視認され、化粧シートの裏側に位置する光源が非発光状態の際には、遊技者によって被表示物が視認されることが制限される。
このため、その光源が非発光状態の際に、遊技者は、その光源が発光状態となった際にどのような被表示物が視認できるようになるか（すなわち、どのような被表示物が現れるか）を予想することが不可能又は困難である。
このため、その光源は発光状態となった際には、遊技者にとっては、それまで予想することが不可能又は困難であった被表示物が光って見えることとなり、遊技者には斬新な印象を与えることが可能となり、その分遊技者に対して大きな興趣を与えることができる。
【００１０】
請求項２に係る発明は、請求項１に係る発明の遊技機用の化粧シートであって、前記一方向光透過制限層の裏側であって前記被表示物に対応しない部分に配設され、少なくとも裏側からおもて側へ光が透過することを制限する光透過制限材とを有する遊技機用の化粧シートである。
【００１１】
なお、被表示物及び光透過制限材は、一方向光透過制限層の裏側において、当該化粧シートの奥行方向における同一又はほぼ同一の位置に配設されてもよい。
一方、一方向光透過制限層の裏側に被表示物形成層が配設され、被表示物形成層のさらに裏側に光透過制限層が配設され、被表示物形成層に被表示物が形成され、光透過制限層のうちの被表示物に対応しない部分に光透過制限材が配設されていてもよい。この場合は、被表示物及び光透過制限材は、当該化粧シートの奥行方向における同一位置には配設されないこととなる。
【００１２】
また、被表示物又は被表示物形成層、及び／又は、光透過制限材又は光透過制限層は、印刷によって配設されてもよいし、フィルム状に形成されたものが配設されてもよい。
【００１３】
上記発明の遊技機用の化粧シートでは、請求項１に係る発明の遊技機用の化粧シートの作用効果に加えて、次の作用効果が得られる。
すなわち、当該化粧シートの裏側に位置する光源から発せられる光は、被表示物に対応しない部分においては、光透過制限材によって、裏側からおもて側へ透過することが制限される。
このため、当該化粧シートの裏側に位置する光源が発光状態の際に、遊技者等が被表示物をより明確に視認できることとなる。
【００１４】
請求項３に係る発明は、遊技機の遊技盤であって、透光性を有する遊技盤本体と、前記遊技盤本体のおもて側に配設された請求項１又は請求項２に記載の化粧シートとを有する、遊技機の遊技盤である。
【００１５】
上記発明の遊技機の遊技盤では、その裏側に光源が配設されることによって、請求項１又は請求項２の化粧シートと同様の作用効果が得られる。
そして、この発明では、遊技者が遊技中に最も注目する遊技盤において上述の作用効果が得られることから、それ以外の場合と比べて、より大きな興趣を遊技者に与えることが可能となる。
【発明の効果】
【００１６】
以上のように、本発明の遊技機用の化粧シート（遊技盤）では、化粧シート（遊技盤）の裏側に位置する光源が発光状態となった際には、遊技者にとっては、それまで予想することが不可能又は困難であった被表示物が光って見えることとなり、遊技者に対して大きな興趣を与えることができる。
【発明を実施するための最良の形態】
【００１７】
［実施形態１］
次に、本発明の実施形態１について、図１，図２，図５Ａ，図５Ｂに基づいて説明する。
図１及び図２に示すように、この遊技機用の遊技盤は、遊技盤本体８０のおもて面に化粧シート１１が貼着されて形成されている。
【００１８】
化粧シート１１は、透明樹脂シート２０を有している。透明樹脂シート２０は、セルロイド等によって形成されている。透明樹脂シート２０は、透光性を有している。
【００１９】
透明樹脂シート２０の裏面には一方向光透過制限膜３０（一方向光透過制限層）が形成され、その裏面には表示用印刷塗膜４０（被表示物形成層）が形成され、その裏面には黒色塗膜５０（光透過制限層）が形成されている。いずれも印刷によって付着されている。
【００２０】
一方向光透過制限膜３０は、次の性質を有している。
一方向光透過制限膜３０の裏側から一方向光透過制限膜３０に到達する光は、一方向光透過制限膜３０によって遮断されず、一方向光透過制限膜３０のおもて側へ透過する。なお、１００％透過する必要はない。
一方向光透過制限膜３０のおもて側から一方向光透過制限膜３０に到達する光は、一方向光透過制限膜３０によって少なくともほぼ遮断されて、一方向光透過制限膜３０の裏側へ透過することが制限される。すなわち、一方向光透過制限膜３０のおもて側から一方向光透過制限膜３０に到達する光の大半は、一方向光透過制限膜３０に吸収されたり、反射されたりする。
【００２１】
表示用印刷塗膜４０は、透光性を有している。表示用印刷塗膜４０には、種々の被表示物が表示されている。
被表示物として、例えば、左側の列には赤色の楕円形の図形４１ａが３つ表示され、中央の列には緑色の２等辺三角形の図形４１ｂが３つ表示され、右側の列には青色の正方形の図形４１ｃが３つ表示されている。いずれも、透光性を有している。
表示用印刷塗膜４０のうち、各種の図形（被表示物４１ａ〜４１ｃ）が表示されていない部分には、無色の透明（又はほぼ透明）の塗料が付着されている（図２には、この場合が示されている）。なお、その部分には何も塗料は付着されていないという態様でもよい。
【００２２】
黒色塗膜５０は、透明樹脂シート２０及び一方向光透過制限膜３０に対応する外形を有するとともに、表示用印刷塗膜４０の種々の被表示物４１ａ〜４１ｃに対応しない部分に黒色の塗料（光透過制限材）が付着されて形成されている。すなわち、種々の被表示物４１ａ〜４１ｃに対応しない部分は黒色とされている。そして、その部分は非透光性を有している。
黒色塗膜５０のうちの種々の被表示物４１ａ〜４１ｃに対応する部分には、黒色の塗料（光透過制限材）が付着されておらず（又は、透明若しくはほぼ透明の塗料が付着されており）、その部分は透光性を有している。
【００２３】
遊技盤本体８０は、透明な合成樹脂によって形成されており、透光性を有している。
遊技盤本体８０の裏側には光源１００が設けられる。
【００２４】
次に、この遊技盤（化粧シート１１）の作用効果について説明する。
図５Ｂに示すように、光源１００が発光状態（オン状態）とされている際に、光源１００から発せられる光は、遊技盤本体８０を透過し、黒色塗膜５０（図２）に到達する。そのうち、黒色塗膜５０のうちの黒色の塗料が付着されている部分に到達した光は、その黒色塗膜５０（黒色の塗料）に吸収される。
一方、黒色塗膜５０（図２）に到達した光のうち、黒色の塗料が付着されていない部分に到達した光は、その部分を透過して、表示用印刷塗膜４０（図２）の各被表示物４１ａ〜４１ｃ（図２も参照）を透過し、一方向光透過制限膜３０（図２）を透過し、透明樹脂シート２０（図２）を透過して、手前側（おもて側）へ向かって進む。
【００２５】
こうして、図５Ｂに示すように、遊技者等、遊技盤（化粧シート１１）の手前側（おもて側）にいる者には、表示用印刷塗膜４０（図２）に形成された各被表示物４１ａ〜４１ｃが光るように視認される（すなわち、光って見える）。
【００２６】
一方、図５Ａに示すように、光源１００が非発光状態（オフ状態）とされている際には、上述のような作用は生じない。
それとともに、遊技ホール内の照明等に基づいて、遊技盤（化粧シート１１）の手前側（おもて側）から化粧シート１１に到達する光は、透明樹脂シート２０（図２）を透過し、一方向光透過制限膜３０（図２）に到達する。そして、その光は、一方向光透過制限膜３０（図２）をおもて側から裏側へ透過して表示用印刷塗膜４０（図２）に到達することが阻止（制限）される。
このため、遊技ホール内の照明等に基づいて表示用印刷塗膜４０（図２）の各被表示物４１ａ〜４１ｃ（図２）に光が到達し、その光が各被表示物４１ａ〜４１ｃ（図２）によって反射して、一方向光透過制限膜３０（図２）及び透明樹脂シート２０（図２）を透過して遊技者等に視認される、ということが阻止（制限）される。
【００２７】
上述のことをさらに詳細に述べると、次のようになる。
遊技ホール内の照明等に基づいて、遊技盤（化粧シート１１）の手前側（おもて側）から化粧シート１１に到達する光は、透明樹脂シート２０（図２）を透過し、一方向光透過制限膜３０（図２）のおもて面に到達する。そして、その光が一方向光透過制限膜３０（図２）を透過して表示用印刷塗膜４０（図２）に到達することが阻止される場合は、各被表示物４１ａ〜４１ｃ（図２）が視認されることが阻止される。
その場合として、一方向光透過制限膜３０（図２）のおもて面に到達した光のうちすべてがその一方向光透過制限膜３０によって反射される場合や、すべてがその一方向光透過制限膜３０によって吸収される場合や、一部がその一方向光透過制限膜３０によって反射され、その残りのすべてがその一方向光透過制限膜３０によって吸収される場合がある。
また、一方向光透過制限膜３０（図２）のおもて面に到達した光のうちの一部がその一方向光透過制限膜３０を透過して表示用印刷塗膜４０（図２）に到達する場合でも、その表示用印刷塗膜４０（各被表示物４１ａ〜４１ｃ）において反射し一方向光透過制限膜３０（図２）及び透明樹脂シート２０（図２）を透過して手前側へ進む光（被表示物反射光ということとする）の量よりも、一方向光透過制限膜３０（図２）のおもて面に到達した光のうちのその一方向光透過制限膜３０によって反射される光（直接的反射光ということとする）の量の方が十分に多い場合においては、その直接的反射光の中にその被表示物反射光が埋もれてしまい、遊技者等によって各被表示物４１ａ〜４１ｃが視認される、ということが阻止される。
また、それ以外の場合においては、遊技者等によって各被表示物４１ａ〜４１ｃが視認される、ということが制限される（困難となる）こととなる。
【００２８】
このように、この遊技盤（化粧シート１１）では、光源１００が発光状態の際（図５Ｂ）には表示用印刷塗膜４０の各被表示物４１ａ〜４１ｃが遊技者等によって光るように視認される一方、光源１００が非発光状態の際（図５Ａ）には、表示用印刷塗膜４０の各被表示物４１ａ〜４１ｃは遊技者等によって視認されない（又は、視認することが困難である）。
このため、光源１００が非発光状態の際（図５Ａ）には、遊技者は、光源１００が発光状態になった際にはどのような被表示物（４１ａ〜４１ｃ）が光って見えるようになるかを予想することが不可能又は困難である。
そのため、光源１００が発光状態になった際（図５Ｂ）には、遊技者にとっては、それまで予想することが不可能又は困難であった被表示物４１ａ〜４１ｃが光って見えることとなり、遊技者には斬新な印象を与えられ、その分遊技者に対して大きな興趣が与えられる。
【００２９】
［実施形態２］
次に、本発明の実施形態２の遊技盤（化粧シート１２）について、図３〜図５Ｂに基づいて説明する。
この実施形態２は実施形態１の変更例であり、実施形態１との相違点を中心に説明する。
【００３０】
図３及び図４に示すように、この化粧シート１２では、透明樹脂シート２０のおもて面に立体的視認用印刷塗膜６０が形成され、そのおもて面には保護シート７０が貼着されている。
このため、図５Ａ及び図５Ｂに示すように、光源１００が発光状態の際にのみ遊技者は被表示物４１ａ〜４１ｃを視認することができる（このことは実施形態１と同様）とともに、その際に、その被表示物４１ａ〜４１ｃを立体的に視認することができる。
【００３１】
［実施形態３］
次に、本発明の実施形態３の遊技盤（化粧シート１３）について、図６Ａ及び図６Ｂに基づいて説明する。
この実施形態３は実施形態１又は実施形態２の変更例であり、実施形態１等との相違点を中心に説明する。
【００３２】
この化粧シート１３では、一方向光透過制限膜３０（図２等も参照）が、上方の約２／３の部分には設けられておらず、下方の約１／３の部分にのみ設けられている。
そして、図６Ｂに示すように、表示用印刷塗膜４０（図２等参照）においては、被表示物として、上方には正方形の図形４３ａが表示されているとともに、下方には「ＧＯＯＤ」の文字４３ｂが表示されている。
【００３３】
このため、図６Ａに示すように、光源１００が非発光状態の際には、上方の正方形の図形４３ａが、パチンコホール内の照明等に基づく光による反射光によって視認される。
一方、図６Ｂに示すように、光源１００が発光状態の際には、光源１００から発せられる光（透過光）によって、上方の正方形の図形４３ａ及び「ＧＯＯＤ」の文字４３ｂが光って見える。
【００３４】
［実施形態４］
次に、本発明の実施形態４の遊技盤（化粧シート１４）について、図７Ａ〜図７Ｄに基づいて説明する。
この実施形態４も実施形態１又は実施形態２の変更例であり、実施形態１等との相違点を中心に説明する。
【００３５】
図７Ｂに示すように、この化粧シート１４では、表示用印刷塗膜４０（図２等参照）においては、被表示物として、緑色の正方形の図形４４ａと、その各辺の外側に位置する４つの赤色の２等辺三角形の図形４４ｂが表示されている。
また、光源としては、無色（白色）の光を発する無色光源１００Ｗと、赤色の光を発する赤色光源１００Ｒと、緑色の光を発する緑色光源１００Ｇが設けられている。
【００３６】
このため、図７Ａに示すように、いずれの光源１００Ｗ，１００Ｒ，１００Ｇも非発光状態の際には、いずれの被表示物４４ａ，４４ｂも視認されない。
また、図７Ｂに示すように、無色光源１００Ｗが発光状態の際には、緑色の正方形の図形４４ａと、４つの赤色の２等辺三角形の図形４４ｂが光って見える。
【００３７】
一方、図７Ｃに示すように、赤色光源１００Ｒのみが発光状態の際には、赤色の光は４つの赤色の２等辺三角形の図形４４ｂの部分を透過する一方、緑色の正方形の図形４４ａの部分においては吸収される。その他の部分においては、黒色塗膜５０によって赤色の光が吸収される（このことはすでに述べたことと同様である）。
このことから、４つの赤色の２等辺三角形の図形４４ｂのみが光って見える。
【００３８】
また、図７Ｄに示すように、緑色光源１００Ｇのみが発光状態の際には、緑色の光は緑色の正方形の図形４４ａの部分を透過する一方、４つの赤色の２等辺三角形の図形４４ｂの部分においては吸収される。上述と同様に、その他の部分においては、黒色塗膜５０によって緑色の光が吸収される。
このことから、緑色の正方形の図形４４ａのみが光って見える。
【００３９】
このように、この実施形態では、化粧シート１４（遊技盤）の裏側においていずれの色の光源１００Ｗ，１００Ｒ，１００Ｇが発光状態となるかによって、遊技者は異なった被表示物を視認することが可能となり、遊技者にはより大きな興趣が与えられることとなる。
【００４０】
［実施形態５］
次に、本発明の実施形態５の化粧シート１５について、図８に基づいて説明する。
この実施形態５は実施形態１〜実施形態４の変更例であり、実施形態１等との相違点を中心に説明する。
【００４１】
この実施形態５の化粧シート１５は、実施形態１〜実施形態４の化粧シート１１〜１４と同様の構造を有している。
化粧シート１５は、透明な樹脂によって形成されたパネル８５（そのおもて面）に対して貼着され、そのパネル８５がスロットマシン（回胴遊技機）の下部に取り付けられている。そのパネルの裏側（スロットマシンの内部）には光源１００が設けられている。
そして、実施形態１〜実施形態４と同様に使用される。
【００４２】
なお、上記のものはあくまで本発明の一実施形態にすぎず、当業者の知識に基づき種々の変更を加えた態様で本発明を実施できることはもちろんである。
【００４３】
例えば、被表示物として赤色，緑色の他、青色の図形等も表示され、光源として赤色光源，緑色光源の他、青色光源も配設されてもよい。その際は、無色光源は必ずしも必要ではなく、赤色光源，緑色光源，青色光源がすべて発光状態となることによって、無色光源の発光状態と同様の状態を得ることができる。
【図面の簡単な説明】
【００４４】
【図１】（ａ）は、本発明の実施形態１の遊技盤を示す分解断面図であり、（ｂ）は本発明の実施形態１の化粧シートを示す分解断面図である。
【図２】本発明の実施形態１の遊技盤を示す分解斜視図である。
【図３】（ａ）は、本発明の実施形態２の遊技盤を示す分解断面図であり、（ｂ）は本発明の実施形態２の化粧シートを示す分解断面図である。
【図４】本発明の実施形態２の遊技盤を示す分解斜視図である。
【図５Ａ】本発明の実施形態１及び２の遊技盤を示す斜視図である。光源が非発光状態の際の状態を示す。
【図５Ｂ】本発明の実施形態１及び２の遊技盤を示す斜視図である。光源が発光状態の際の状態を示す。
【図６Ａ】本発明の実施形態３の遊技盤を示す斜視図である。光源が非発光状態の際の状態を示す。
【図６Ｂ】本発明の実施形態３の遊技盤を示す斜視図である。光源が発光状態の際の状態を示す。
【図７Ａ】本発明の実施形態４の遊技盤を示す斜視図である。すべての光源が非発光状態の際の状態を示す。
【図７Ｂ】本発明の実施形態４の遊技盤を示す斜視図である。無色光源が発光状態の際の状態を示す。
【図７Ｃ】本発明の実施形態４の遊技盤を示す斜視図である。赤色光源が発光状態の際の状態を示す。
【図７Ｄ】本発明の実施形態４の遊技盤を示す斜視図である。緑色光源が発光状態の際の状態を示す。
【図８】（ａ）は、本発明の実施形態５の化粧シートが使用されたスロットマシンの正面図であり、（ｂ）は、その横断面図である。
【符号の説明】
【００４５】
１１〜１５  化粧シート
３０  一方向光透過制限膜（一方向光透過制限層）
４１ａ〜４１ｃ，４３ａ，４３ｂ，４４ａ，４４ｂ  被表示物
５０  黒色塗膜（光透過制限材）
８０  遊技盤本体
１００  光源
１００Ｗ  無色光源
１００Ｒ  赤色光源
１００Ｇ  緑色光源
【図１】
2007175291.tif 000003
【図２】
2007175291.tif 000004
【図３】
2007175291.tif 000005
【図４】
2007175291.tif 000006
【図５Ａ】
2007175291.tif 000007
【図５Ｂ】
2007175291.tif 000008
【図６Ａ】
2007175291.tif 000009
【図６Ｂ】
2007175291.tif 000010
【図７Ａ】
2007175291.tif 000011
【図７Ｂ】
2007175291.tif 000012
【図７Ｃ】
2007175291.tif 000013
【図７Ｄ】
2007175291.tif 000014
【図８】
2007175291.tif 000015